(57)【要約】      （修正有）【課題】幼児が偶発的にＰＴＰシート用包装体に収容されている薬剤を取り出す可能性を低減しながらも、高齢者にとってＰＴＰシート用包装体に収容されている薬剤を取り出すことが難しくないＰＴＰシート用包装体を提供することを目的とする。【解決手段】ＰＴＰシートに封入されている薬剤側の一側面を支持し、前記ＰＴＰシートの前記薬剤を保持する保持孔１１を有する第一支持部１と、前記第一支持部１に対向して前記ＰＴＰシートを挟持し、前記薬剤を取り出すための取出孔２１又は破線に囲まれた打抜部を有する第二支持部２と、前記取出孔２１又は前記打抜部と対向可能であり前記薬剤が通過可能である通過孔を有し、前記第一支持部１及び前記第二支持部２に対して少なくとも二方向以上にスライド移動可能に前記第一支持部１及び前記第二支持部２に挟持される遮蔽部３を備えることを特徴とするＰＴＰシート用包装体により解決することができた。【選択図】図１
2018104014.tif 000002
【特許請求の範囲】
【請求項１】
ＰＴＰシートに封入されている薬剤側の一側面を支持し、前記ＰＴＰシートの前記薬剤を保持する保持孔を有する第一支持部と、
前記第一支持部に対向して前記ＰＴＰシートを挟持し、前記薬剤を取り出すための取出孔又は破線に囲まれた打抜部を有する第二支持部と、
前記取出孔又は前記打抜部と対向可能であり前記薬剤が通過可能である通過孔を有し、前記第一支持部及び前記第二支持部に対して少なくとも二方向以上にスライド移動可能に前記第一支持部及び前記第二支持部に挟持される遮蔽部
を備えることを特徴とするＰＴＰシート用包装体。
【請求項２】
前記遮蔽部は、一の部分より突設された第一把持部と、他の部分より突設された第二把持部を有し、
前記第一把持部と前記第二把持部が前記第一支持部又は前記第二支持部の少なくとも一方より露出していることを特徴とする請求項１に記載のＰＴＰシート用包装体。
【請求項３】
前記第一把持部と第二把持部のそれぞれの突設方向の成す角度が８０〜１００度であることを特徴とする請求項１又は請求項２に記載のＰＴＰシート用包装体。
【請求項４】
前記遮蔽部は、一の辺より突設された第一把持部と、前記一の辺に隣接する他の辺より突設された第二把持部を有し、
前記第一把持部と前記第二把持部が前記第一支持部及び前記第二支持部の外周より露出していることを特徴とする請求項１から請求項３のいずれかに記載のＰＴＰシート用包装体。
【請求項５】
請求項１から請求項４のいずれかに記載のＰＴＰシート用包装体を構成する前記第一支持部と、前記第二支持部と、前記遮蔽部が、分離可能に設けられた一枚のシートとして形成されていることを特徴とするＰＴＰシート用台紙。
【発明の詳細な説明】
【技術分野】
【０００１】
本発明は、医薬品である薬剤を包装してなるＰＴＰ（Ｐｒｅｓｓ  Ｔｈｒｏｕｇｈ  Ｐａｃｋａｇｅ）シートを包装する包装体及びその包装体を構成する部材からなる台紙に関する。
【背景技術】
【０００２】
従来、ＰＴＰシートは、ポリプロピレン、塩化ビニルやポリエチレンテレフタレートなどの高分子材料からなり医薬品である服用薬剤を収容し円柱状等に突出した収容部と、その収容部の開口部から薬剤を収容してから開口部をアルミ箔等の破断可能な封止材により構成されており、薬剤を密封している。そして、使用時には、突出した収容部を指等で押し当てて、間接的に薬剤に力を加え、薬剤により封止材を破って、破断した部分から薬剤を取り出している。
【０００３】
幼児が、興味又は菓子であるとの勘違いなどから保護者の監視が届かないところでＰＴＰシートから薬剤を取り出して、誤飲することが問題となっており、それら子供が誤飲しないようにＰＴＰシートを包装する部材が種々開発されている。
【０００４】
例えば、特許文献１には、二片の板状部材によりＰＴＰシートを収納し、一の板状部材に薬剤を取り出すための取出孔が穿設されており、その取出孔を開閉し規制片が、二片の板状部材に一定の方向にのみスライド移動可能に挟持されている包装体が開示されている。
【先行技術文献】
【特許文献】
【０００５】
【特許文献１】特開２００４−２９９７２８公報
【発明の概要】
【発明が解決しようとする課題】
【０００６】
しかしながら、特許文献１に記載のＰＴＰシート用包装体では、その規制片を一定の方向にスライド移動すれば、一の板状部材における取出孔と規制片における孔が重なり合って薬剤を取り出すことができるので、子供がその包装体を振り回したり規制片に指を掛けたりなどの行為によって、偶発的に規制片が一の板状部材における取出孔と規制片における孔が重なり合う位置に移動してしまい、薬剤が取り出される危険性があった。
【０００７】
その一方で、子供が薬剤を取り出すことが困難な複雑な構造にすると子供の誤飲を防止することができるが、薬剤を服用する機会の多い高齢者もまた取り出すことが困難になり不便であり、薬剤の服用を断念する高齢者が出てくることが懸念される。
【０００８】
そのため、本発明において、幼児が偶発的にＰＴＰシート用包装体に収容されている薬剤を取り出す可能性を低減しながらも、高齢者にとってＰＴＰシート用包装体に収容されている薬剤を取り出すことが難しくないＰＴＰシート用包装体を提供することを目的とする。
【課題を解決するための手段】
【０００９】
〔１〕すなわち、本発明は、ＰＴＰシートに封入されている薬剤側の一側面を支持し、前記ＰＴＰシートの前記薬剤を保持する保持孔を有する第一支持部と、前記第一支持部に対向して前記ＰＴＰシートを挟持し、前記薬剤を取り出すための取出孔又は破線に囲まれた打抜部を有する第二支持部と、前記取出孔又は前記打抜部と対向可能であり前記薬剤が通過可能である通過孔を有し、前記第一支持部及び前記第二支持部に対して少なくとも二方向以上にスライド移動可能に前記第一支持部及び前記第二支持部に挟持される遮蔽部を備えることを特徴とするＰＴＰシート用包装体である。
【００１０】
〔２〕そして、前記遮蔽部は、一の部分より突設された第一把持部と、他の部分より突設された第二把持部を有し、前記第一把持部と前記第二把持部が前記第一支持部又は前記第二支持部の少なくとも一方より露出していることを特徴とする前記〔１〕に記載のＰＴＰシート用包装体である。
【００１１】
〔３〕そして、前記第一把持部と第二把持部のそれぞれの突設方向の成す角度が８０〜１００度であることを特徴とする前記〔１〕又は前記〔２〕に記載のＰＴＰシート用包装体である。
【００１２】
〔４〕そして、前記遮蔽部は、一の辺より突設された第一把持部と、前記一の辺に隣接する他の辺より突設された第二把持部を有し、前記第一把持部と前記第二把持部が前記第一支持部及び前記第二支持部の外周より露出していることを特徴とする前記〔１〕から前記〔３〕のいずれかに記載のＰＴＰシート用包装体である。
【００１３】
〔５〕そして、前記〔１〕から前記〔４〕のいずれかに記載のＰＴＰシート用包装体を構成する前記第一支持部と、前記第二支持部と、前記遮蔽部が、分離可能に設けられた一枚のシートとして形成されていることを特徴とするＰＴＰシート用台紙である。
【発明の効果】
【００１４】
本発明のＰＴＰシート用包装体によれば、幼児が偶発的にＰＴＰシート用包装体に収容されている薬剤を取り出す可能性を低減しながらも、高齢者にとってＰＴＰシート用包装体に収容されている薬剤を容易に取り出すことができる。
【図面の簡単な説明】
【００１５】
【図１】本発明の第一実施形態におけるＰＴＰシート用包装体の各構成部材が一体化されたＰＴＰシート用台紙の正面図である。
【図２】本発明の第一実施形態におけるＰＴＰシート用包装体の組立て途中の状態を示す正面図である。
【図３】本発明の第一実施形態におけるＰＴＰシート用包装体の第一の状態を示す正面図である。
【図４】本発明の第一実施形態におけるＰＴＰシート用包装体の第二の状態を示す正面図である。
【図５】本発明の第一実施形態におけるＰＴＰシート用包装体の第三の状態を示す正面図である。
【図６】本発明の第一実施形態におけるＰＴＰシート用包装体にＰＴＰシートを挟持した状態における斜視図である。
【図７】本発明の第二実施形態におけるＰＴＰシート用包装体の各構成部材が一体化されたＰＴＰシート用台紙の正面図である。
【図８】本発明の第二実施形態におけるＰＴＰシート用包装体の組立て途中の状態の正面図である。
【図９】本発明の第二実施形態におけるＰＴＰシート用包装体の一の状態を示す正面図である。
【発明を実施するための形態】
【００１６】
以下、本発明に係るＰＴＰシート用包装体及びＰＴＰシート用台紙に関する実施の形態について、添付の図面に基づいて詳しく説明する。なお、以下に説明する各実施形態は、本発明を実施するに好ましい具体例であるから、技術的に種々の限定がなされているが、本発明は、以下の説明において特に発明を限定する旨が明記されていない限り、この形態に限定されるものではない。そして、数値範囲を表す表現は下限と上限を含有するものである。
〔第一実施形態〕
図１〜図６は、本発明の第一実施形態を示している。第一実施形態におけるＰＴＰシート用包装体は、図１に示すように、厚紙等の一枚のブランクシートを打ち抜いて各構成部材が形成されている。具体的には、第一支持部１と第二支持部２が接続され、第二支持部２と遮蔽部３が破断線Ｂを介して分離可能に接続されている。図１に示すように、一枚のシート状に形成されていると、個々の構成部材を別々に成形することに比べて、製造コストを低減することができ、嵩張らないために流通しやすく流通コストも低減することもできる。薬局にて薬剤師等が、この一枚のシート状に形成されたＰＴＰシート用台紙を組み立て、ＰＴＰシート４を挟持させたＰＴＰシート用包装体として、患者に渡すこととなる。
【００１７】
第一支持部１は、ＰＴＰシート４に略円筒状に設けられた突設部４１側の一側面を支持し、ＰＴＰシート４の突設部４１を介して薬剤Ｍを間接的に保持する保持孔１１を有する。図１に示すように、第一支持部１の一端側である下側に、第一支持部１を貫通する長孔として、角が丸い矩形状の保持孔１１が５個穿設されている。ＰＴＰシート４を第一支持部１及び第二支持部２に挟持させたときに、保持孔１１を介して、ＰＴＰシート４の突設部４１に封入されている薬剤Ｍが露出することになるので、使用者が薬剤Ｍの在庫を把握しやすくなるとともに指で押し当てて薬剤Ｍを取り出しやすくすることができる。本実施形態において、第一支持部１の保持孔１１と第二支持部２の取出孔２１は第一支持１に対して第二支持部２を折りたたむと対向しており、それぞれ対向する保持孔１１と取出孔２１が同形状であるが、他の実施形態において、保持孔から露出している薬剤Ｍを収容するＰＴＰシート４の一部に力を加えることにより取出孔から薬剤Ｍを取り出せる限りにおいて、対向する取出孔と保持孔を異なる形状とすることもできる。
図１、図２に示すように、第一支持部１は、略矩形状を有しており、第二支持部２と当接する一端側以外の三つの辺に、外側に向かって略矩形状に張り出した第一張出部１２、第二張出部１３、第三張出部１４が突設されている。ＰＴＰシート用包装体を組み立てたときに、これらの第一張出部１２、第二張出部１３、第三張出部１４が折りたたまれて第一支持部１及び第二支持部２に挟持されることにより、ＰＴＰシート４がＰＴＰシート用包装体から抜け落ちないようにすることができる。
【００１８】
図１、図２に示すように、第一張出部１２は、第一支持部１が第二支持部２と当接する一端側の辺と隣接する辺に設けられている。そして、第一支持部１と第一張出部１２の境界には、遮蔽部３の第一把持部３２を挿通する矩形状の長孔である第一把持部露出部１６が穿設されている。ＰＴＰシート用包装体を組み立てるときに、第一把持部露出部１６へ遮蔽部３の第一把持部３２を挿通することにより、図３から図６に示すように、遮蔽部３の第一把持部３２が第一把持部露出部１６から第一支持部１及び第二支持部２の外周より露出するので、遮蔽版３が使用者によって操作されるようになる。
【００１９】
第二張出部１３は、第一支持部１が第二支持部２と当接する一端側の辺と隣接する辺であって、第一張出部１２とは第一支持部１を挟んで反対側に設けられている。
【００２０】
第三張出部１４は、第一支持部１が第二支持部２と当接する一端側の辺とは第一支持部１を挟んで反対側の辺に設けられている。そして、図１、図２に示すように、第三張出部１４には、第一支持部１側とは反対側に外方向へ向かって突出するように略Ｔ字状の固定片１５が２個設けられている。固定片１５が第二支持部２の差込孔２２及び切込部２２１に差し込まれることにより、作業者がＰＴＰシート用包装体を組み立てるときに、接着剤や粘着テープ等の他の物品を使用することなく迅速に組み立てることができる。また、固定片１５の先端部が幅広となっていることにより、この部分が差込孔２２及び切込部２２１に差し込まれたときに第二支持部２に係止して、差込孔２２及び切込部２２１から抜けにくくしており、子供が誤ってＰＴＰシート用包装体を展開してしまいＰＴＰシート４を取り出すことを防止している。
【００２１】
第二把持部露出部１７が、第一支持部１と第二支持部２の境界に、遮蔽部３の第二把持部３３を挿通する矩形状の長孔として穿設されている。ＰＴＰシート用包装体を組み立てるときに、第二把持部露出部１７へ遮蔽部３の第二把持部３３を挿通することにより、図３から図６に示すように、遮蔽部３の第二把持部３３が第二把持部露出部１７から第一支持部１及び第二支持部２の外周より露出するので、遮蔽版３が使用者によって操作されるようになる。
【００２２】
第二支持部２は、第一支持部１に対向してＰＴＰシート４を挟持し、ＰＴＰシート４の突設部４１に封入されている薬剤Ｍを取り出す取出孔２１を有する部材である。図１、図２に示すように、第二支持部２の一端側である上側に、第二支持部２を貫通する長孔として、角が丸い矩形状の取出孔２１が５個穿設されている。この取出孔２１を介して、使用者はＰＴＰシート４の突設部４１に封入されている薬剤Ｍを取り出すことができる。また、他の実施形態において、取出孔２１に代えて、ＰＴＰシートの収容部の開口部を封止する封止材のうち、開口部に対向する部分を円形又は角形などの形状に破れやすいように破線で囲み、力を加えたときに打ち抜ける打抜部とすることもできる。
【００２３】
そして、図１、図２に示すように、第二支持部２には、第一支持部１側とは反対側の辺近傍に差込孔２２が穿設されている。差込孔２２は固定片１５を差し込む部材であるので、それぞれの固定片１５に対応して２個設けられている。前述したように、差込孔２２に固定片１５が差し込まれることにより、作業者がＰＴＰシート用包装体を組み立てるときに、接着剤や粘着テープ等の他の物品を使用することなく迅速に組み立てることができる。また、差込孔２２から湾曲した切込部２２１が線状に切り込まれており、幅広の固定片１５の先端部が切込部２２１も通って差込孔２２に差し込まれると、固定片１５が引き抜かれる方向に引っ張られたとしても第二支持部２に係止して差込孔２２から抜けにくくしており、子供が誤ってＰＴＰシート用包装体を展開してしまいＰＴＰシート４を取り出すことを防止している。
【００２４】
遮蔽部３は、取出孔２１と対向可能であり薬剤Ｍが通過可能である通過孔３１を有し、第一支持部１及び第二支持部２に対して二方向にスライド移動可能に第一支持部１及び第二支持部２に挟持される部材である。遮蔽部３により、通過孔３１と第二支持部２の取出孔２１が一致するなど薬剤Ｍが通過しうる程度に重なり合ったときには、ＰＴＰシート４から薬剤Ｍを通過孔３１及び取出孔２１を通じて取り出すことができ、通過孔３１と第二支持部２の取出孔２１が一致しないなど薬剤Ｍが通過しうる程度に重なり合わないときには、薬剤Ｍが第一支持部１及び第二支持部２の少なくとも一方に衝突して取り出すことができない。このように、遮蔽部３は、第二支持部２の取出孔２１に対する開閉シャッターとして機能している。なお、第二支持部２に取出孔２１の代わりに打抜部が設けられているときには、遮蔽部３はその打抜部と対向可能となる。
【００２５】
図１、図２に示すように、遮蔽部３は、略矩形状を有しており、第一支持部１及び第二支持部２の境界と当接する一端側の辺に、外側に向かって略矩形状に突出する第二把持部３３が設けられている。そして、第二把持部３３が突設さている辺に隣接し、第一張出部１２側の辺に、外側に向かって略矩形状に突出する第一把持部３２が設けられている。前述したように、ＰＴＰシート用包装体を組み立てるときに、遮蔽部３の第一把持部３２を第一把持部露出部１６へ挿通し、第二把持部３３を第二把持部露出部１７へ挿通することにより、図３から図６に示すように、遮蔽部３の第一把持部３２が第一把持部露出部１６から、そして、第二把持部３３が第二把持部露出部１７から、それぞれ第一支持部１及び第二支持部２の外周より露出するので、遮蔽版３が使用者によって操作されるようになる。また、第一把持部３２及び第二把持部３３のそれぞれの突設方向の成す角度が９０度として形成されている。これにより、第一把持部３２及び第二把持部３３の操作方向を高齢者にとってもより分かりやすくなっている。なお、本実施形態において、第一把持部３２及び第二把持部３３のそれぞれの突設方向の成す角度が９０度として形成されているが、他の実施形態において、おおよそ直角と認識する８０〜１００度とすることができる。
【００２６】
さらに、図１、図２に示すように、遮蔽部３には、第二把持部３３と同じ側の辺の端部に外側に向かって略矩形状に突出する係止片３４が設けられている。ＰＴＰシート用包装体を組み立てたときに、使用者が第一把持部３２を持って遮蔽部３を横方向にスライド移動するときに第二把持部３３が第二把持部露出部１７から露出しやすいように、係止片３４が第一支持部１及び第二支持部２の境界の端部に切り込まれた係止切欠２３と係止と係止して、遮蔽部３の動きを規制している。
【００２７】
ＰＴＰシート用包装体の組立て手順としては、以下のとおりである。まず、図１に示されたＰＴＰシート用台紙の遮蔽部３を遮蔽部３と第二支持部２との境界にある破断線Ｂに沿って破断して第二支持部２から分離する。そして、第一支持部１に対してＰＴＰシート４を、突設部４１が保持孔１１に挿通されるように載置する。そして、第一把持部３２を第一把持部露出部１６に挿通して、ＰＴＰシート４の薬剤Ｍが取り出される面に、遮蔽部３を載置する。そして、第一張出部１２及び第二張出部１３を載置したＰＴＰシート４側に折り畳み、第二支持部２もＰＴＰシート４側に折り畳み、第三張出部１４をＰＴＰシート４側に折り畳みながら固定片１５を差込孔２２及び切込部２２１に差し込むことにより完成させる。
【００２８】
図３から図５に、使用方法が示されている。図３から図５の各（ａ）ではＰＴＰシート４が挟持されていない状態を示しており、各（ｂ）ではＰＴＰシート４が第一支持部１と遮蔽部３に挟持されている状態を示している。図３において、第一支持部１の保持孔１１と第二支持部２の取出孔２１とは対向して完全に重なり合っているが、遮蔽部３の通過孔３１は取出孔２１とは完全に重なり合っておらず、薬剤Ｍを遮蔽部３に遮られ取出孔２１から取り出せないようになっている。そして、第一把持部３２は第一把持部露出部１６からおおよそ露出しており、第一把持部３２を操作することにより遮蔽部３を長手方向である図３の横方向へのスライド移動することができる。その一方で、第二把持部３３は、第二把持部露出部１７からほとんど露出しておらず、第二把持部３３を操作しても遮蔽部３を長手方向である図３の縦方向へのスライド移動することができない。これにより、遮蔽部３が短手方向である図３の縦方向への動きがロックされていることになるため、子供が誤って操作することを防止している。
【００２９】
そして、図４は、図３の状態から第一把持部３２を操作することにより遮蔽部３を長手方向である図３の横方向へのスライド移動した状態を示しており、第二把持部３３は、第二把持部露出部１７からほとんど露出しており、第二把持部３３を操作することにより遮蔽部３を短手方向である図４の縦方向へのスライド移動することができる。
【００３０】
そして、図５は、図４の状態から第二把持部３３を操作することにより遮蔽部３を短手方向である図４の縦方向へのスライド移動した状態を示しており、遮蔽部３の通過孔３１は保持孔１１及び取出孔２１と完全に重なり合い、薬剤Ｍを取出孔２１から取り出せるようになっている。
【００３１】
このように、遮蔽部３が長手方向及び短手方向の二方向にスライド移動し、すなわち、遮蔽部３における第一把持部３２及び第二把持部３３を長手方向である横方向及び短手方向である縦方向へと二段階で操作して遮蔽部３を二方向にスライド移動させることにより、ＰＴＰシート４に収容されている薬剤ＭをＰＴＰシート用包装体から取り出すこととなるので、幼児が偶発的にＰＴＰシート用包装体に収容されている薬剤Ｍを取り出す可能性を低減しながらも、高齢者にとって薬剤Ｍを取り出しやすいようになっている。
〔第二実施形態〕
図７〜図９は、本発明の第二実施形態を示している。第二実施形態におけるＰＴＰシート用包装体は、図７に示すように、厚紙等の一枚のブランクシートを打ち抜いて各構成部材が形成されている。具体的には、第一支持部１と第二支持部２が角の部分で接続され、第二支持部２と遮蔽部３が破断線Ｂを介して角の部分で分離可能に接続されている。
【００３２】
第一支持部１は、ＰＴＰシート４の突設部４１側の一側面を支持し、ＰＴＰシート４の突設部４１を介して薬剤Ｍを間接的に保持する保持孔１１を有する。図７に示すように、第一支持部１の中央付近に、第一支持部１を貫通する丸孔として、保持孔１１が複数個穿設されている。ＰＴＰシート４を第一支持部１及び第二支持部２に挟持させたときに、保持孔１１を介して、ＰＴＰシート４の突設部４１に封入されている薬剤Ｍが露出することになるので、使用者が薬剤Ｍの在庫を把握しやすくなるとともに指で押し当てて薬剤Ｍを取り出しやすくすることができる。本実施形態において、第一支持部１の保持孔１１と第二支持部２の取出孔２１は第一支持１に対して第二支持部２を折りたたむと対向しており、それぞれ対向する保持孔１１と取出孔２１が同形状であるが、他の実施形態において、第一実施形態のような長孔などのような形状とすることや、保持孔から露出している薬剤Ｍを収容するＰＴＰシート４の一部に力を加えることにより取出孔から薬剤Ｍを取り出せる限りにおいて、対向する取出孔と保持孔を異なる形状とすることもできる。
【００３３】
そして、第一支持部１は、略矩形状であり、各角の部分が外側に突出している。そして、その角の部分に関して、第二支持部２側においては第二支持部２と接続され、第二支持部２と反対側においては外方向へ向かって突出するように略Ｔ字状の固定片１５がそれぞれ１個ずつ合計で２個設けられている。固定片１５が第二支持部２の差込孔２２及び切込部２２１に差し込まれることにより、作業者がＰＴＰシート用包装体を組み立てるときに、接着剤や粘着テープ等の他の物品を使用することなく迅速に組み立てることができる。また、固定片１５の先端部が幅広となっていることにより、この部分が差込孔２２に差し込まれたときに第二支持部２に係止して、差込孔２２及び切込部２２１から抜けにくくしており、子供が誤ってＰＴＰシート用包装体を展開してしまいＰＴＰシート４を取り出すことを防止している。
【００３４】
第二支持部２は、第一支持部１に対向してＰＴＰシート４を挟持し、ＰＴＰシート４の突設部４１に封入されている薬剤Ｍを取り出す取出孔２１を有する部材である。図７、図８に示すように、第二支持部２の中央付近に、第二支持部２を貫通する丸孔として、取出孔２１が複数個穿設されている。この取出孔２１を介して、使用者はＰＴＰシート４の突設部４１に封入されている薬剤Ｍを取り出すことができる。また、他の実施形態において、取出孔２１に代えて、ＰＴＰシートの収容部の開口部を封止する封止材のうち、開口部に対向する部分を円形又は角形などの形状に破れやすいように破線で囲み、力を加えたときに打ち抜ける打抜部とすることもできる。なお、本実施形態において取出孔２１は丸孔であるが、他の実施形態において第一実施形態のような長孔などのような形状とすることもできる。
【００３５】
そして、図７、図８に示すように、第二支持部２には、第一支持部１側とは反対側の各角の部分に差込孔２２が穿設されている。差込孔２２は固定片１５を差し込む部材であるので、それぞれの固定片１５に対応してそれぞれ１個ずつ合計２個設けられている。前述したように、差込孔２２に固定片１５が差し込まれることにより、作業者がＰＴＰシート用包装体を組み立てるときに、接着剤や粘着テープ等の他の物品を使用することなく迅速に組み立てることができる。また、差込孔２２から湾曲した切込部２２１が線状に切り込まれており、幅広の固定片１５の先端部が切込部２２１も通って差込孔２２に差し込まれると、固定片１５が引き抜かれる方向に引っ張られたとしても第二支持部２に係止して差込孔２２から抜けにくくしており、子供が誤ってＰＴＰシート用包装体を展開してしまいＰＴＰシート４を取り出すことを防止している。
【００３６】
第一支持部１及び第二支持部２を重ね合わせたときに四つの角の部分はそれぞれ固定されることとなるが、各辺の部分については固定されてないために、遮蔽部３の一部の出入りが可能となる。このように、第一支持部１及び第二支持部２の各辺の部分の隙間が、第一把持部露出部１６及び第二把持部露出部１７などとして形成される。第一把持部露出部１６は、第一支持部１及び第二支持部２の各辺のうち短手方向の辺の部分の隙間であり、第二把持部露出部１７は、第一支持部１及び第二支持部２の各辺のうち長手方向の辺の部分の隙間である。ＰＴＰシート用包装体を組み立てたときに、遮蔽部３の第一把持部３２が第一把持部露出部１６から露出し、第二把持部３３が第二把持部露出部１７から露出することにより、図９に示すように、遮蔽部３の第二把持部３３が第二把持部露出部１７から第一支持部１及び第二支持部２の外周より露出するので、遮蔽版３が使用者によって操作されるようになる。
【００３７】
遮蔽部３は、取出孔２１と対向可能であり薬剤Ｍが通過可能である通過孔３１を有し、第一支持部１及び第二支持部２に対して二方向以上の多方向にスライド移動可能に第一支持部１及び第二支持部２に挟持される部材である。遮蔽部３の第一把持部３２及び第二把持部３３の幅に比べて、第一把持部露出部１６及び第二把持部露出部１７の開口の方がそれぞれ１．５〜５倍程度と大きいために、長手方向及び短手方向の二方向だけでなく、斜めの方向にもスライド移動させることが可能となるために、二方向以上の多方向にスライド移動可能となっている。そして、遮蔽部３により、通過孔３１と第二支持部２の取出孔２１が一致するなど薬剤Ｍが通過しうる程度に重なり合ったときには、ＰＴＰシート４から薬剤Ｍを通過孔３１及び取出孔２１を通じて取り出すことができ、通過孔３１と第二支持部２の取出孔２１が一致しないなど薬剤Ｍが通過しうる程度に重なり合わないときには、薬剤Ｍが第一支持部１及び第二支持部２の少なくとも一方に衝突して取り出すことができない。このように、遮蔽部３は、第二支持部２の取出孔２１１１に対する開閉シャッターとして機能している。なお、第二支持部２に取出孔２１の代わりに打抜部が設けられているときには、遮蔽部３はその打抜部と対向可能となる。
【００３８】
図７、図８に示すように、遮蔽部３は、略矩形状を有しており、それぞれ対角の部分に、外側に向かって略円弧状に突出する第一把持部３２及び第二把持部３３が設けられている。前述したように、ＰＴＰシート用包装体を組み立てたときに、遮蔽部３の第一把持部３２が第一把持部露出部１６から、そして、第二把持部３３が第二把持部露出部１７から、それぞれ第一支持部１及び第二支持部２の外周より露出するので、遮蔽版３が使用者によって操作されるようになる。また、第一把持部３２及び第二把持部３３のそれぞれの突設方向の成す角度が９０度として形成されている。これにより、第一把持部３２及び第二把持部３３の操作方向を高齢者にとってもより分かりやすくなっている。なお、本実施形態において、第一把持部３２及び第二把持部３３のそれぞれの突設方向の成す角度が９０度として形成されているが、他の実施形態において、おおよそ直角と認識する８０〜１００度とすることができる。
【００３９】
ＰＴＰシート用包装体の組立て手順としては、以下のとおりである。まず、図７に示されたＰＴＰシート用台紙の遮蔽部３を遮蔽部３と第二支持部２との境界にある破断線Ｂに沿って破断して第二支持部２から分離する。そして、第一支持部１に対してＰＴＰシート４を、突設部４１が保持孔１１に挿通されるように載置する。そして、ＰＴＰシート４の薬剤Ｍが取り出される面に、遮蔽部３を載置する。そして、ＰＴＰシート４が第一支持部１と遮蔽部３に挟持された状態で、第二支持部２を第一支持部１側に折り畳み、固定片１５を差込孔２２及び切込部２２１に差し込むことにより完成させる。
【００４０】
使用方法としては、第一支持部１及び第二支持部２の外周より露出している遮蔽部３の第一把持部３２又は第二支持部３３の少なくとも一方を操作することにより、遮蔽部３を短手方向又は長手方向或いは斜め方向へとスライド移動や回転移動させ、遮蔽部３の通過孔３１と取出孔２１が重なり合ったときに薬剤Ｍを取出孔２１から取り出せるようになる。
【００４１】
このように、遮蔽部３が長手方向及び短手方向を含む二方向以上にスライド移動及び回転移動し、遮蔽部３における第一把持部３２及び第二把持部３３を短手方向、長手方向だけでなくそれらを組み合わせた斜め方向にも段階を経ずに自由に操作して遮蔽部３を二方向以上にスライド移動及び回転移動させることにより、ＰＴＰシート４に収容されている薬剤ＭをＰＴＰシート用包装体から取り出すこととなるので、幼児が偶発的にＰＴＰシート用包装体に収容されている薬剤Ｍを取り出す可能性を第一実施形態よりもさらに低減しながらも、高齢者にとって薬剤Ｍを取り出しやすいようになっている。
【００４２】
なお、図７から図９では、遮蔽部３の動きと第一支持部１及び第二支持部２との関係を見やすくするためにＰＴＰシート４を図示していないが、実際にＰＴＰシート用包装体を組み立てるときには、図３（ｂ）、図４（ｂ）、図５（ｂ）、図６と同様に、また上述したように遮蔽部３と第二支持部２との間にＰＴＰシート４を挟持する。
【符号の説明】
【００４３】
１・・・第一支持部
１１・・・保持孔
１２・・・第一張出部
１３・・・第二張出部
１４・・・第三張出部
１５・・・固定片
１６・・・第一把持部露出部
１７・・・第二把持部露出部
２・・・第二支持部
２１・・・取出孔
２２・・・差込孔
２２１・・・切込部
２３・・・係止切欠
３・・・遮蔽部
３１・・・透過孔
３２・・・第一把持部
３３・・・第二把持部
３４・・・係止片
４・・・ＰＴＰシート
４１・・・突設部
Ｍ・・・薬剤
Ｂ・・・破断線
【図１】
2018104014.tif 000003
【図２】
2018104014.tif 000004
【図３】
2018104014.tif 000005
【図４】
2018104014.tif 000006
【図５】
2018104014.tif 000007
【図６】
2018104014.tif 000008
【図７】
2018104014.tif 000009
【図８】
2018104014.tif 000010
【図９】
2018104014.tif 000011